(57)【要約】【課題】  ベルトループ等に対する脱着が容易な折りたたみナイフを提供すること。【解決手段】  ハンドル２１の側板２２には、刀身２４と背金２９とが回動可能に支持されている。側板２２間の基端部の固定部材３５の掛止部３７と、背金２９の操作部３１とにより、ループ４０が構成されている。このループ４０によりナイフをズボンのベルトループ等に掛けることができる。ナイフをベルトループ等に掛けた状態で、ナイフのハンドル２１を握って、背金２９及び刀身２４の少なくとも一方を内方に回動させれば、ループ４０の一部を開放して、ナイフをベルトループ等から外すことができる。従って、片手操作でナイフをベルトループ等から外すことができる。【選択図】      図４
2006042917.tif 000002
【特許請求の範囲】
【請求項１】
一対の側板間に、
収納位置と使用位置とに開閉可能な刀身と、
その刀身の基端部に係合するとともに、使用位置の刀身を一端において解除可能にロックするためのロック機能を有する背金と、
背金をロック方向に付勢するためのバネと
を備えた折りたたみナイフにおいて、
前記側板間に第１の片を固定するとともに、前記背金の他端に第２の片を形成し、
前記刀身の収納状態において第１，第２の片により閉じた状態のループが形成され、背金をロック解除方向に回動させることにより、前記ループが開放されるように構成したことを特徴とする折りたたみナイフ。
【請求項２】
前記背金に作用する前記バネのバネ力により、刀身が収納位置で弾性保持されるとともに、同刀身の開閉に対して弾性的な抵抗が付与されるようにしたことを特徴とする請求項１に記載の折りたたみナイフ。
【請求項３】
背金は、その中間部において回動可能に支持され、回動支点の前方側が刀身に係合するようになっており、後方側が第２の片を形成していることを特徴とする請求項１または２に記載の折りたたみナイフ。
【発明の詳細な説明】
【技術分野】
【０００１】
この発明は、例えば狩猟用ナイフとして具体化される折りたたみナイフに関するものである。
【背景技術】
【０００２】
この種の折りたたみナイフは、一対の側板間に刀身やきり等の機能部品を開閉可能に支持して構成されている。この場合、この折りたたみナイフのうち、大型で、重いものは、ポケットに入れて携行しづらい。このため、特許文献１に示すようなフックを側板に支持して、そのフックによりズボンのベルトループ等に吊下されるようにしていることが多い。
【特許文献１】特開平１１−４７４５９号
【発明の開示】
【発明が解決しようとする課題】
【０００３】
この場合、前記フックはベルトループ等から脱落しないように閉じている必要があるが、フックをベルトループ等に対して脱着する際には、逆にフックを開放する必要がある。この場合、例えば、前記特許文献１においては、フックが背金の強いバネ力を直接受けているため、フックの開閉に大きな力を要し、片手操作等で簡単にフックを開閉するということが難しかった。
【０００４】
この発明は、以上のような問題点を解消するためになされたものであって、フックの開閉を簡単に行うことができ、ベルトループ等に対する脱着が容易な折りたたみナイフを提供することにある。
【課題を解決するための手段】
【０００５】
以上の目的を達成するための、請求項１に記載の発明においては、一対の側板間に、収納位置と使用位置とに開閉可能な刀身と、その刀身の基端部に係合するとともに、使用位置の刀身を一端において解除可能にロックするためのロック機能を有する背金と、背金をロック方向に付勢するためのバネとを備えた折りたたみナイフにおいて、前記側板間に第１の片を固定するとともに、前記背金の他端に第２の片を形成し、前記刀身の収納状態において第１，第２の片により閉じた状態のループが形成され、背金をロック解除方向に回動させることにより、前記ループが開放されるように構成したことを特徴とする。
【０００６】
なお、ここで、前記刀身の代わりに、ドライバ、きり、栓抜き等の機能部品を一対の側板間に開閉可能に配置したものも、この発明の折りたたみナイフとして扱うものとする。
請求項２に記載の発明においては、請求項１に記載の発明において、前記背金に作用する前記バネのバネ力により、刀身が収納位置で弾性保持されるとともに、同刀身の開閉に対して弾性的な抵抗が付与されるようにしたことを特徴とする。
【０００７】
請求項３に記載の発明においては、請求項１または２に記載の発明において、背金は、その中間部において回動可能に支持され、回動支点の前方側が刀身に係合するようになっており、後方側が第２の片を形成していることを特徴とする。
【０００８】
従って、この発明によれば、バネにより背金を刀身のロック方向に付勢した構成において、背金をロック解除方向に回動させれば、簡単にループを開放できる。
【発明の効果】
【０００９】
従って、この発明によれば、例えば、片手操作で、あるいは、ナイフのループをベルトループ等に当てることにより、ナイフのループを開放でき、ベルトループ等に対するナイフの吊下等をワンタッチで行うことができる。
【発明を実施するための最良の形態】
【００１０】
（第１の実施形態）
以下、本発明を具体化した一実施形態を図１〜図５の図面に基づいて説明する。
ハンドル２１の両側を形成する側板２２の前端部間には、第１支軸２３により刀身２４がその基端において開閉回動可能に支持され、図２及び図４に示すように側板２２間に収納される収納位置と、図１及び図３に示すように側板２２間から突出する使用位置とに配置される。刀身２４の基端には、ロック用凹部２５と、周回部２６と、保持部２７とが形成され、保持部２７は、第１の保持部分２７ａと第２の保持部分２７ｂとが並設されて構成されている。これらのロック用凹部２５、周回部２６、保持部２７の機能については後述する。
【００１１】
側板２２間の背部にはロック機能を有する背金２９が第２支軸２８によりその中間部において回動可能に支持され、その一端（前方側）にロック部３０が、他端（後方側）に第２の片としての操作部３１がそれぞれ形成されている。背金２９の中間部の装着溝３２には棒バネよりなるバネ３３の一端部が固定支持されている。
【００１２】
側板２２間の基端部には一対のピン３４により固定部材３５が固定され、その側板２２間の部分には、前記バネ３３の他端部を受ける受け部３６が形成されている。そして、このバネ３３バネ力により、前記背金２９がそのロック部３０において前記刀身２４の基端部に圧接される方向（ロック方向）に付勢されている。固定部材３５の側板２２から突出した部分には第１の片としての掛止部３７が形成され、背金２９の前記操作部３１と近接対向している。そして、この操作部３１と掛止部３７とにより、ループ４０が構成されている。なお、ループ４０が閉じた状態（図１〜図４の状態）において、操作部３１の先端が掛止部３７の先端よりもわずかに落ち込んでいる。
【００１３】
さて、図２及び図４は、刀身２４が側板２２間に収納された状態を示している。この状態においては、バネ３３のバネ力により、背金２９のロック部３０が刀身２４の保持部２７の第１，第２の保持部分２７ａ，２７ｂの双方に弾性係合しており、このため、刀身２４が収納状態に安定保持される。この状態から、刀身２４をその背部を持って開放方向に回動させれば、背金２９のロック部３０が刀身２４の周回部２６上を相対的に周回して、刀身２４に対してある程度の弾性的な抵抗を付与する。そして、刀身２４が使用状態に配置されたとき、ロック部３０が刀身２４のロック用凹部２５内に係合して、刀身２４が図１及び図３に示す使用状態でロックされる。このため、刀身２４により安定して切断等の作業を行うことができる。
【００１４】
この状態から、刀身２４を再び収納状態にするには、背金２９の操作部３１を押圧操作して、バネ３３のバネ力に抗して、背金２９を図１及び図３の時計方向に回動させれば、刀身に対するロックが解除されて、刀身２４を図２及び図４に示す側板２２間の位置に収納することができる。
【００１５】
一方、図２及び図４に示す収納状態では、背金２９の操作部３１が固定部材の掛止部３７に近接して、両者３１，３７により閉じた状態のループ４０が形成される。このとき、背金２９の操作部３１を操作して背金２９を図面の時計方向に回動させれば、ループ４０の一部が開放され、掛止部３７にズボンのベルトループ等（図示しない）に掛けることができる。例えばズボンのベルトループに操作部３１を当てれば、操作部３１がバネ３３のバネ力に抗してわずかに開き、ループ４０をベルトループ等に掛けることができ、このナイフをベルトループ等に吊下して、便利に携行できる。ここで、ループ４０が閉じた状態において、操作部３１の先端が掛止部３７の先端よりもわずかに落ち込んでいるため、操作部３１をベルトループ等の上をおいて滑らせることにより、ループ４０をベルトループ等に対して簡単かつ確実に掛けることができる。
【００１６】
さらに、ナイフをベルトループ等に掛けた状態で、ナイフのハンドル２１を握って、背金２９及び刀身２４の少なくとも一方を内方に回動させれば、ループ４０の一部を開放して、ナイフをベルトループ等から外すことができる。すなわち、前述のように、背金２９を内方へ回動させれば、ループ４０の一部が開放される。また、図５から明らかなように、ハンドル２１を握って刀身２４を内方へ回動させれば、保持部２７の第２の保持部分２７ｂが背金２９の先端側を時計方向に回動させるため、ループ４０の一部が開放される。従って、片手操作で簡単にループを開放させて、ナイフをベルトループ等から外すことができる。しかも、そのためのループ４０の構成は、背金２９が兼用しているため、部品点数が増えることはなく、構成が簡単である。
【００１７】
以上のように、上記実施形態によれば、以下のような効果を得ることができる。
・  ループ４０を片手操作で開放できるため、折りたたみナイフをベルトループ等に簡単に掛けることができる。
【００１８】
・  刀身２４が閉じた状態のナイフのハンドル２１を握れば、ループ４０を開放させることができ、ナイフをベルトループ等から簡単に外すことができる。
・  ループ４０を構成する背金２９の操作部３１が同じくループ４０を構成する掛止部３７に対してわずかに落ち込んでいるため、ループ４０をベルトループ等に対して簡単に掛けることができる。
【００１９】
・  部品点数が増えないため、構成が簡単である。
次に、上記実施形態及び別例から把握できる技術的思想について、以下に追記する。
（ａ）  ループは、側板間において、刀身の支持部とは反対側の端部に配置されている請求項１〜請求項３のうちのいずれか一項に記載の折りたたみナイフ。
【００２０】
（ｂ）  ループの一部を構成する固定部材が側板間に固定され、背金を刀身と係合する方向に付勢する弾性部材を固定部材と背金との間に配置した請求項１〜請求項３，前記技術思想（ａ）項のうちのいずれか一項に記載の折りたたみナイフ。
【００２１】
（ｃ）  ループを構成する背金の端部が、同じくループを構成するように側板に固定した掛止部の端部よりも落ち込んでいる請求項１〜請求項３，前記技術思想（ａ）項，技術思想（ｂ）項のうちのいずれか一項に記載の折りたたみナイフ。
【図面の簡単な説明】
【００２２】
【図１】この発明を具体化した折りたたみナイフの使用状態を示す正面図。
【図２】同じく収納状態を示す正面図。
【図３】折りたたみナイフの使用状態を示す断面図。
【図４】同じく収納状態を示す断面図。
【図５】ループの開放状態を示す断面図。
【符号の説明】
【００２３】
２１…ハンドル、２２…側板、２４…刀身、２５…ロック用凹部、２９…背金、３０…ロック部、３１…第２の片としての操作部、３３…バネ、３５…固定部材、３７…第１の片としての掛止部、４０…ループ。
【図１】
2006042917.tif 000003
【図２】
2006042917.tif 000004
【図３】
2006042917.tif 000005
【図４】
2006042917.tif 000006
【図５】
2006042917.tif 000007